(57)【要約】【課題】ワイヤハーネスに外装するコルゲートチューブで分岐部を保護する。【解決手段】ワイヤハーネスの幹線から支線が分岐する分岐位置を挟む両側幹線を、それぞれ幹線サイズに対応した第１コルゲートチューブと第２コルゲートチューブで外装し、前記第１、第２コルゲートチューブには分岐位置側先端から軸線方向に所要寸法延在するスリットを周方向に間隔をあけて２〜４本設け、該第１、第２コルゲートチューブの分岐位置側をそれぞれ２〜４つの円弧状の分割片に分け、前記第１、第２コルゲートチューブの一部の分割片は前記支線側に屈曲させ、この屈曲させた第１、第２コルゲートチューブの分割片で前記支線の両側外周を囲む一方、該第１、第２コルゲートチューブの残りの分割片は前記幹線連続側で分岐位置を越えて延在させて外装すると共に、前記第１コルゲートチューブの分割片に第２コルゲートチューブの分割片を重ねている。【選択図】図２
2013255312.tif 000002
【特許請求の範囲】
【請求項１】
ワイヤハーネスの幹線から支線が分岐する分岐位置を挟む両側幹線を、それぞれ幹線サイズに対応した第１コルゲートチューブと第２コルゲートチューブで外装し、
前記第１、第２コルゲートチューブには分岐位置側先端から軸線方向に所要寸法延在するスリットを周方向に間隔をあけて２〜４本設け、該第１、第２コルゲートチューブの分岐位置側をそれぞれ２〜４つの円弧状の分割片に分け、
前記第１、第２コルゲートチューブの一部の分割片は前記支線側に屈曲させ、この屈曲させた第１、第２コルゲートチューブの分割片で前記支線の両側外周を囲む一方、
該第１、第２コルゲートチューブの残りの分割片は前記幹線連続側で分岐位置を越えて延在させて外装すると共に、前記第１コルゲートチューブの分割片に第２コルゲートチューブの分割片を重ねていることを特徴とするワイヤハーネス分岐部の保護構造。
【請求項２】
前記第１、第２コルゲートチューブにそれぞれ設ける２〜４本のスリットは、該第１、第２コルゲートチューブが軸線方向全長に１本のスリットを備えたスリット付きコルゲートチューブである場合、全長スリットを１本の前記スリットとし、新たに１〜３本の追加スリットを設けている請求項１に記載のワイヤハーネス分岐部の保護構造。
【請求項３】
前記支線の両側面に添わせる第１、第２コルゲートチューブの分割片に粘着テープを巻き付けて固着すると共に、前記分岐位置を挟む第１、第２コルゲートチューブの重ね合わせた分割片に粘着テープを巻き付けて固着している請求項１または請求項２に記載のワイヤハーネス分岐部の保護構造。
【請求項４】
前記ワイヤハーネスの幹線から１つの支線が分岐するＴ状分岐位置を挟む両側幹線を、それぞれ幹線サイズに対応した前記第１コルゲートチューブと第２コルゲートチューブで外装し、
前記第１、第２コルゲートチューブには分岐位置側先端から軸線方向に所要寸法延在するスリットを周方向に間隔をあけて２本設け、該第１、第２コルゲートチューブの分岐位置側をそれぞれ２つの円弧状の分割片に分け、
前記第１、第２コルゲートチューブの一方の分割片は前記支線側に屈曲させ、この屈曲させた両側の分割片で前記支線を外装する一方、
該第１、第２コルゲートチューブの他方の分割片は前記支線の分岐側と反対側の幹線連続側で分岐位置を越えて延在させて外装すると共に、前記第１コルゲートチューブの分割片に第２コルゲートチューブの分割片を重ねている請求項１乃至請求項３のいずれか１項に記載のワイヤハーネス分岐部の保護構造。
【請求項５】
前記ワイヤハーネスの幹線から２つの支線が分岐する十字分岐位置を挟む両側幹線を、それぞれ幹線サイズに対応した第１コルゲートチューブと第２コルゲートチューブで外装し、
前記第１、第２コルゲートチューブには分岐位置側先端から軸線方向に所要寸法延在するスリットを周方向に間隔をあけて４本設け、該第１、第２コルゲートチューブの分岐位置側をそれぞれ４つの円弧状の分割片に分け、
前記第１、第２コルゲートチューブの略直径方向に対向する２つの分割片は互いに反対方向に屈曲させ、この屈曲させた第１、第２コルゲートチューブの各両側の分割片で２本の前記支線を外装する一方、
該第１、第２コルゲートチューブの略直径方向に対向する残りの２つの分割片は前記支線が分岐せずに幹線が連続している対向する外周面に分岐位置を越えて延在させて外装すると共に、前記第１コルゲートチューブの分割片に第２コルゲートチューブの分割片を重ねている請求項１乃至請求項３のいずれか１項に記載のワイヤハーネス分岐部の保護構造。
【発明の詳細な説明】
【技術分野】
【０００１】
本発明はワイヤハーネス分岐部の保護構造に関し、特に、コルゲートチューブで外装保護するワイヤハーネスの幹線から支線が分岐する部分を保護する構造に関する。
【背景技術】
【０００２】
自動車に配索するワイヤハーネスの電線群を集束保護するために樹脂成形品からなるコルゲートチューブで外装している場合が多い。該コルゲートチューブで外装したワイヤハーネスの幹線から支線が分岐する場合、図１１に示すように、コルゲートチューブ１００に丸穴状の開口１００ａを分岐位置に設け、該開口１００ａよりワイヤハーネスの幹線Ｗ／Ｈ−１から分岐する支線Ｗ／Ｈ−２を外部に引き出していることが多い。
【０００３】
しかし、前記構成とすると、コルゲートチューブの開口のバリやエッジがあると、支線に損傷を与える恐れがあると共に、支線の分岐位置が保護されない問題もある。よって、本出願人は、特開２００７−２８８９７２号公報で、図１２に示すように、ワイヤハーネスの幹線Ｗ／Ｈ−１から支線Ｗ／Ｈ−２が分岐する位置にＴ形状筒部からなる分岐保護材１１０を取り付け、該分岐保護材１１０に開口１００ａを設けたコルゲートチューブ１００を外装している。コルゲートチューブ１００を外装した後に支線側にもコルゲートチューブ１２０を被せ、最後に分岐部に粘着テープＴを股掛けして固着している。
【先行技術文献】
【特許文献】
【０００４】
【特許文献１】特開２００７−２８８９７２号公報
【発明の概要】
【発明が解決しようとする課題】
【０００５】
図１２に示す構成とすると、別部品の分岐保護材１１０を必要とし、部品点数が増加すると共に分岐保護材１１０をワイヤハーネスに取り付けるための作業工数が増加し、コストアップとなる問題がある。
また、分岐保護材１１０はＴ字型の成型品であるため、幹線に対して支線の角度が９０度の場合しか適用できない。車両レイアウトの都合で支線の角度は９０度以外の鈍角や鋭角とされる場合があり、その都度、対応した角度の分岐保護材を成形すると、コストアップになる問題がある。
さらに、分岐する支線を挟む幹線の両側の外径が相違する場合が多くなるが、幹線に連続して１つのコルゲートチューブを外装すると、小径側となる幹線サイズとコルゲートチューブとの間に大きな隙間が発生し、異音が発生したり、配索スペースが大きくなる等の問題がある。
【０００６】
本発明は前記問題に鑑みてなされたもので、コルゲートチューブで外装するワイヤハーネスの幹線から支線が分岐する位置で、別部材の分岐保護材を必要とせず、かつ、幹線に対する支線の角度を任意に調節でき、しかも、支線を挟む両側の幹線サイズが相違しても、各サイズに応じてコルゲートチューブで外装できるようにして異音発生等を防ぐことを課題としている。
【課題を解決するための手段】
【０００７】
前記課題を解決するため、本発明は、ワイヤハーネスの幹線から支線が分岐する分岐位置を挟む両側幹線を、それぞれ幹線サイズに対応した第１コルゲートチューブと第２コルゲートチューブで外装し、
前記第１、第２コルゲートチューブには分岐位置側先端から軸線方向に所要寸法延在するスリットを周方向に間隔をあけて２〜４本設け、該第１、第２コルゲートチューブの分岐位置側をそれぞれ２〜４つの円弧状の分割片に分け、
前記第１、第２コルゲートチューブの一部の分割片は前記支線側に屈曲させ、この屈曲させた第１、第２コルゲートチューブの分割片で前記支線の両側外周を囲む一方、
該第１、第２コルゲートチューブの残りの分割片は前記幹線連続側で分岐位置を越えて延在させて外装すると共に、前記第１コルゲートチューブの分割片に第２コルゲートチューブの分割片を重ねていることを特徴とするワイヤハーネス分岐部の保護構造を提供している。
【０００８】
前記第１、第２コルゲートチューブにそれぞれ設ける２〜４本のスリットは、該第１、第２コルゲートチューブが軸線方向全長に１本のスリットを備えたスリット付きコルゲートチューブである場合、全長スリットを１本の前記スリットとし、新たに１〜３本の追加スリットを設けている。
なお、第１、第２コルゲートチューブが軸線方向全長にスリットを設けていない「スリット無しコルゲートチューブ」であれば、第１、第２コルゲートチューブにそれぞれ２〜４本のスリットを長さ方向の一端から所要寸法で切断して形成している。
【０００９】
前記ワイヤハーネスの幹線から１つの支線が分岐するＴ状分岐位置を挟む両側幹線を、それぞれ幹線サイズに対応した前記第１コルゲートチューブと第２コルゲートチューブで外装し、
前記第１、第２コルゲートチューブには分岐位置側先端から軸線方向に所要寸法延在するスリットを周方向に間隔をあけて２本設け、該第１、第２コルゲートチューブの分岐位置側をそれぞれ２つの円弧状の分割片に分け、
前記第１、第２コルゲートチューブの一方の分割片は前記支線側に屈曲させ、この屈曲させた両側の分割片で前記支線を外装する一方、
該第１、第２コルゲートチューブの他方の分割片は前記支線の分岐側と反対側の幹線連続側で分岐位置を越えて延在させて外装すると共に、前記第１コルゲートチューブの分割片に第２コルゲートチューブの分割片を重ねている。
【００１０】
即ち、幹線から１本の支線が分岐したＴ字分岐の場合は、分岐位置を挟む両側の幹線にそれぞれ外装する第１、第２コルゲートチューブにスリットを設け、それぞれ２個の分割片を設けている。
第１、第２コルゲートチューブの分割片のうちの一方で１本の支線を両側から挟んで外嵌するため、支線の分岐側根元をコルゲートチューブで保護することができる。かつ、幹線に対する支線の分岐角度に応じて分割片の曲げ角度を調節すればよいため、支線の分岐角度に対応できる。
また、第１、第２コルゲートチューブの分割片のうちの他方は、屈曲せずに真っすぐに延ばし、支線分岐側と反対側の幹線連続側に被せる。其の際、第１、第２コルゲートチューブの分割片は重なった状態となる。第１、第２コルゲートチューブのサイズが大小相違する場合は小径側のコルゲートチューブの外周面に大径側のコルゲートチューブを重ねることが好ましいが、同径のコルゲートチューブの場合も含め、分割片は半円弧状であるため、内外位置は限定されない。
【００１１】
前記ワイヤハーネスの幹線から２つの支線が分岐する十字分岐位置を挟む両側幹線を、それぞれ幹線サイズに対応した第１コルゲートチューブと第２コルゲートチューブで外装し、
前記第１、第２コルゲートチューブには分岐位置側先端から軸線方向に所要寸法延在するスリットを周方向に間隔をあけて４本設け、該第１、第２コルゲートチューブの分岐位置側をそれぞれ４つの円弧状の分割片に分け、
前記第１、第２コルゲートチューブの略直径方向に対向する２つの分割片は互いに反対方向に屈曲させ、この屈曲させた第１、第２コルゲートチューブの各両側の分割片で２本の前記支線を外装する一方、
該第１、第２コルゲートチューブの略直径方向に対向する残りの２つの分割片は前記支線が分岐せずに幹線が連続している対向する外周面に分岐位置を越えて延在させて外装すると共に、前記第１コルゲートチューブの分割片に第２コルゲートチューブの分割片を重ねている。
【００１２】
即ち、幹線から略直交方向に２本の支線が分岐した十字分岐の場合、分岐位置を挟む両側の幹線にそれぞれ外装する第１、第２コルゲートチューブにスリットを設け、それぞれ４個の分割片を設けている。
第１、第２コルゲートチューブの各４個の分割片のうちの２個の分割片を逆方向に折り曲げると、幹線と直交方向に分岐する一対の支線を挟むように外装できる。よって、十字分岐の一対の支線の根元側を幹線に外装する第１、第２コルゲートチューブで保護することができる。かつ、幹線に対する支線の分岐角度に応じて分割片の曲げ角度を調節すればよいため、支線の分岐角度に対応できる。
また、残りの各２個の分割片を連続した幹線に沿って分岐位置を越えて真っすぐに延在させ、分岐位置の部分では第１、第２コルゲートチューブの分割片を重ねるため、幹線の保護も図ることができる。
【００１３】
ワイヤハーネスの幹線から３本の支線が分岐するＹ字分岐位置では、幹線に外装する第１コルゲートチューブと、分岐する３本の支線のうちの１本の支線に外装する第２コルゲートチューブとに、分岐位置側先端から軸線方向に所要寸法延在するスリットを周方向に間隔をあけて３本設け、該第１、第２コルゲートチューブの分岐位置側をそれぞれ３つの円弧状の分割片に分け、
前記第１、第２コルゲートチューブの２つの分割片は支線に沿ってそれぞれ屈曲させ、この屈曲させた第１、第２コルゲートチューブの各両側の分割片で２本の前記支線を外装する一方、
該第１、第２コルゲートチューブの残りの１つの分割片を重ねあわせている。
【００１４】
第１、第２コルゲートチューブに前記分割片を形成するための前記スリットの軸線方向の寸法（Ｌ）は、支線の保護が不要な場合は支線断面の直径寸法（ｄ）と略同等寸法（Ｌ＝ｄ）とし、支線の保護が必要な場合は支線断面の直径寸法（ｄ）に保護が必要な寸法（ｅ）を合算した寸法（Ｌ＝ｄ＋ｅ）としている。
【００１５】
前記分割片を形成するためのスリットの寸法（Ｌ）は、具体的には、４０〜５０ｍｍが好ましく、該分割片を屈曲させて支線の外周面に添わせる寸法は３０〜４０ｍｍ、分岐位置を越えて幹線に添わせて重ね合わせる分割片の寸法は４０〜５０ｍｍとすることが好ましい。
また、周方向で隣接するスリット間の断面寸法は支線の直径以上の寸法としている。
【００１６】
前記第１、第２コルゲートチューブの分割片を支線の外周に添わせて挟むように外装して粘着テープを巻き付け、また、第１、第２コルゲートチューブの分割片を重ね合わせた領域も粘着テープを巻き付けている。
これにより、第１、第２コルゲートチューブをワイヤハーネスの分岐位置に固着することができる。
【発明の効果】
【００１７】
本発明のワイヤハーネス分岐部をコルゲートチューブで保護する保護構造では、コルゲートチューブとして分岐位置まで外装する第１コルゲートチューブと第２コルゲートチューブを用い、これら第１、第２コルゲートチューブに分岐側先端よりスリットを入れて分割片を設け、該分割片の１つを支線の外周部に両側に外方よりかぶせると共に、他の分割片は幹線側の外周面で重ねてかぶせ、この状態で粘着テープを巻き付け、分岐位置の幹線および支線を分割片で外装している。このように、他の保護材を用いることなく、コルゲートチューブの分岐側先端からスリットを加えるだけでワイヤハーネスの分岐部を簡単かつ確実にコルゲートチューブで保護することができる。
【図面の簡単な説明】
【００１８】
【図１】本発明の第１実施形態のＴ字分岐部に用いるコルゲートチューブを示し、（Ａ）は正面側から見た斜視図、（Ｂ）はスリットの寸法を示す正面図、（Ｃ）は開口端側から見た斜視図である。
【図２】（Ａ）〜（Ｅ）は前記コルゲートチューブを用いてワイヤハーネスの分岐部を保護する工程を示す図面である。
【図３】（Ａ）〜（Ｃ）は分割片形成用のスリットの寸法を示す図面である。
【図４】（Ａ）（Ｂ）は分岐部に外装した第１、第２コルゲートチューブに粘着テープを巻き付けた状態を示す図面である。
【図５】（Ａ）（Ｂ）は支線が幹線に対して左右に傾斜する場合の図面である。
【図６】第２実施形態の十字分岐部に用いるコルゲートチューブを示す斜視図である。
【図７】（Ａ）は前記十字分岐部に第１、第２コルゲートチューブを外装する状態を示す図面、（Ｂ）は（Ａ）のＢ−Ｂ線断面図である。
【図８】前記十字分岐部に外装した第１、第２コルゲートチューブに粘着テープを巻き付けた状態を示す斜視図である。
【図９】第３実施形態のＹ字分岐部に用いるコルゲートチューブを示す斜視図である。
【図１０】前記Ｙ字分岐部に外装したコルゲートチューブに粘着テープを巻き付けた状態を示す斜視図である。
【図１１】従来例を示す正面図である。
【図１２】他の従来例を示す図面である。
【発明を実施するための形態】
【００１９】
以下、本発明の実施形態を図面を参照して説明する。
図１乃至図５に第１実施形態を示す。
【００２０】
第１実施形態は、図２（Ａ）に示すように、ワイヤハーネス１の幹線２から１本の支線３が分岐しているＴ字分岐部の保護構造である。幹線２には分岐位置Ｐを挟んだ両側の幹線２Ａと２Ｂにコルゲートチューブを外装する必要があり、支線３はコルゲートチューブで外装する必要はなく、テープ巻き、丸樹脂チューブの外装でよい。
【００２１】
前記幹線２は分岐位置Ｐを挟む一方側の幹線２Ａの電線群の一部を分岐位置Ｐで屈曲して支線３として分岐しており、よって、分岐位置Ｐを挟む他方側の幹線２Ｂの外径は幹線２Ａの外径より小さくなっている。よって、一方側の幹線２Ａにはφ２２の第１コルゲートチューブ５が対応するサイズであるため該第１コルゲートチューブ５を外装し、他方側の幹線２Ｂにはφ１５の第２コルゲートチューブ６が対応するサイズであるため該第２コルゲートチューブ６を外装する。
【００２２】
図１に示す前記第１、第２コルゲートチューブ５、６は環状の山部と谷部とを軸線方向に交互に設けて屈曲可能としており、第１、第２コルゲートチューブ５、６とも軸線方向に沿って全長に１本のスリット４を設けたスリット付きコルゲートチューブを用いている。該スリット４を開いてワイヤハーネス１の幹線２を軸直角方向からの横入れ可能としている。
【００２３】
第１コルゲートチューブ５の長さは、その一端５ａが前記分岐位置Ｐから図２（Ｄ）に示すように所要寸法Ｌ１（本実施形態では２０ｍｍ）を延長した長さとし、該一端５ａから１本の追加スリット８を軸線方向に切り込んで形成している。該追加スリット８の長さＬは前記寸法Ｌ１の略２倍としている（本実施形態では４０ｍｍ）。
【００２４】
図３（Ａ）に示すように、追加スリット８は全長のスリット４と周方向に所要寸法ｓあけており、該寸法ｓは、支線３の断面直径ｄと同等としている。よって、支線３が細い場合にはスリット４と８間の寸法ｓが小さくなる。
【００２５】
追加スリット８を設けて、予め形成されている全長のスリット４とで、第１コルゲートチューブ５の一端５ａから２本のスリットを切り込んでいるため、第１コルゲートチューブ５の一端側では、先端から寸法Ｌの区間は円環部分が２本のスリットで２つの分割片９Ａと９Ｂに別れるようにしている。分割された一方の分割片９Ａは寸法ｓの小さい円弧の小分割片となり、分割片９Ｂは大きな円弧の大分割片となる。
【００２６】
第２コルゲートチューブ６は第１コルゲートチューブ５と同様とし、該第２コルゲートチューブ６の一端６ａが分岐位置Ｐを挟んで第１コルゲートチューブ５の一端５ａと対向するものとし、一端６ａから追加スリット１０を切り込んでいる。該追加スリット１０の軸線方向の長さは第１コルゲートチューブ５の追加スリット８と同等とし、全長のスリット４から周方向に同等の寸法ｓをあけて形成している。
このように、第２コルゲートチューブ６に追加スリット１０を設け、予め形成されている全長のスリット４とで、第２コルゲートチューブ６の一端６ａから２本のスリットを切り込んでいるため、第２コルゲートチューブ６の一端６ａ側では、先端から寸法Ｌの区間は円環部分が２本のスリットで２つの分割片１１Ａと１１Ｂに別れるようにしている。分割された一方の分割片１１Ａは寸法ｓの小さい円弧片の小分割片となり、分割片１１Ｂは大きな円弧片の大分割片となる。
【００２７】
前記のように、ワイヤハーネス１の分岐位置Ｐを挟む幹線２Ａ、２Ｂにそれぞれ外装するサイズの相違する第１、第２コルゲートチューブ５、６に、それぞれ各１本の追加スリット８、１０を設け、分岐位置側の先端から各２つの分割片９Ａと９Ｂ、１１Ａと１１Ｂとを設けている。
【００２８】
ワイヤハーネス１への第１、第２コルゲートチューブ５、６の取り付けは、図２（Ａ）に示すワイヤハーネス１のＴ字分岐に、まず、図２（Ｂ）に示すように、小径の第２コルゲートチューブ６を分岐位置Ｐを挟む他方側の幹線２Ｂに、一端６ａを分岐位置Ｐ側として外装する。該外装時に、小さい分割片１１Ａは支線３の突出側の図中上側に位置させ、大きい分割片１１Ｂは分岐位置Ｐを越えて幹線２Ａの下外周面に添わせて延在させる。
前記上側とした分割片１１Ａが支線３と接する位置から上向きに屈曲させ、支線３の図中右側外周面に添わせる。この支線３に添わせる分割片１１Ａの長さは約３０ｍｍとなる。
【００２９】
ついで、図２（Ｃ）に示すように、大径の第１コルゲートチューブ５を分岐位置Ｐを挟む一方側の幹線２Ａに、一端５ａを分岐位置Ｐ側として外装する。前記第２コルゲートチューブ６と同様に、小さい分割片９Ａは支線３の突出側の図中上側に位置させ、大きい分割片９Ｂは下側とする。
【００３０】
図２（Ｄ）に示すように、第１コルゲートチューブ５の一端５ａが分岐位置Ｐに近づくと、分岐位置Ｐを越えて幹線２Ａに延在させている第２コルゲートチューブ６の分割片１１Ｂの下側に重ね、かつ、分岐位置Ｐを越えて幹線２Ｂ側へと延在させる。第１、第２コルゲートチューブ５、６の分割片９Ｂと１１Ｂとは、これら分割片の長さＬ（４０ｍｍ）の距離でラップすることになる。
【００３１】
前記上側とした分割片９Ａが支線３と接する位置から上向きに屈曲させ、支線３の図中左側外周面に添わせる。これにより、支線３は分岐位置Ｐの根元の右側は分割片１１Ａで覆われ、左側は分割片９Ａで覆われ、左右の分割片１１Ａと９Ａとで支線３の全周が覆われることになる。
【００３２】
ついで、図２（Ｅ）に示すように、支線３を挟む分割片９Ａと１１Ａとを粘着テープ１４を巻き付けて固着する。また、分岐位置Ｐを挟む幹線２Ａ、２Ｂに重ねて外装した分割片９Ｂ、１１Ｂ及びその軸線方向の両側に粘着テープ１４を巻き付けて第１、第２コルゲートチューブ５、６を固着する。
【００３３】
前記構成とすると、幹線２から支線３が分岐する位置で、幹線２および支線の根元部を第１、第２コルゲートチューブ５、６で確実に外装でき、幹線２及び支線３の電線を外部に露出させず、電線保護を図れるとともに見栄え向上を図ることもできる。
また、分岐位置Ｐを挟む両側の幹線２Ａと２Ｂとに外径差が生じているが、サイズが相違する第１、第２コルゲートチューブ５、６を外装するため、大きなコルゲートチューブ内に外径の小さい幹線が収容されることはなく、その結果、ガタつき及び異音発生を防止することができる。
【００３４】
かつ、第１、第２コルゲートチューブ５、６は分割片９Ｂ、１１Ｂを重ねているため図４（Ａ）に示すように粘着テープ１４での巻き付け時に段差が殆どなくスムーズに巻き付けることができる。さらに、小径となる幹線２Ｂを小径の第２コルゲートチューブ６で外装するため、第２コルゲートチューブ６の開口端と幹線２Ｂの外周との間の隙間を減少でき、図４（Ｂ）に示すように、第２コルゲートチューブ６の端縁から幹線２Ｂの外周に巻き付ける粘着テープ１４の巻回数を減少できる。かつ、第２コルゲートチューブ６を小径とするため、狭い配索スペースにコルゲートチューブが大きいために配索できなくなる問題を解消することもできる。
【００３５】
さらに、支線３は第１、第２コルゲートチューブ５、６の先端側の分割片９Ａ、１１Ａを屈曲して外装しているだけであるため、図５（Ａ）（Ｂ）に示すように、支線３の突出角度に容易に対応させることができる。
【００３６】
分岐位置Ｐからの第１、第２コルゲートチューブ５、６の分割片９Ａ、１１Ａを支線３に添わせる寸法は、支線３を第１、第２コルゲートチューブ５、６により保護する寸法を長くするか否かで区別している。
前記実施形態では図３（Ｂ）に示すように、支線３の保護は主として根元だけとし、コルゲートチューブによる保護領域を比較的短くしている。よって、第１、第２コルゲートチューブ５、６に設けるスリット８、１０の長さＬは、前記のように、支線３の直径ｄと略同等としている。
一方、第１、第２コルゲートチューブ５、６による支線３の保護領域を長くする場合には、図３（Ｃ）に示すように、第１、第２コルゲートチューブ５、６に設けるスリット８、１０の長さＬは、支線３の保護が必要な部分の長さｅを加えた寸法（Ｌ＝ｄ＋ｅ）としている。
【００３７】
図６乃至図８に第２実施形態を示す。
第２実施形態は、図７に示すように、ワイヤハーネス１の幹線２から２本の支線３０、３１が直交方向に分岐している十字分岐部の保護構造である。前記第１実施形態と同様に、幹線２には分岐位置Ｐを挟んだ両側の幹線２Ａと２Ｂに、図６に示す第１、第２コルゲートチューブ５、６を外装し、分岐する支線３０と３１にはコルゲートチューブを外装していない。
【００３８】
第１、第２コルゲートチューブ５、６には分岐位置Ｐ側の一端５ａ、６ａからそれぞれ周方向に間隔をあけて３本のスリット３３Ａ〜３３Ｃ、３４Ａ〜３４Ｃを所要寸法Ｌだけ切り込んで形成し、予め設けられている全長のスリット４を合わせて、第１、第２コルゲートチューブ５、６にはそれぞれ４本のスリットを設けている。これら４本のスリットにより、第１、第２コルゲートチューブ５、６には一端５ａ、６ａ側に４つの分割片３５Ａ〜３５Ｄ、３６Ａ〜３６Ｄを設けている。
【００３９】
各４つの分割片を設けた第１、第２コルゲートチューブ５、６は、前記第１実施形態と同様な手順でワイヤハーネス１の幹線２Ａ、２Ｂに外装している。
【００４０】
即ち、図７に示すように、第２コルゲートチューブ６の分割片３６Ａは屈折して支線３０に添わせ、分割片３６Ｃは逆方向に屈折して支線３１に添わせ、分割片３６Ｂと３６Ｄは幹線２Ｂの両側外面に添わせて幹線２Ａへと延在させている。
ついで、第１コルゲートチューブ５の分割片３５Ａは屈折して支線３０の他方側に添わせ、分割片３５Ｃは逆方向に屈折して支線３１の他方側に添わせ、分割片３５Ｂと３５Ｄは幹線２Ａの両側外面に添わせ、幹線２Ｂの分割片３６Ｂ、３６Ｄに重ねて幹線２Ｂへと延在させている。
ついで、支線３０を挟む分割片３５Ａと３６Ａに粘着テープを巻き付けて固着し、同様に支線３１を挟む分割片３５Ｃと３６Ｃに粘着テープを巻き付けて固着する。かつ、幹線２Ａ、２Ｂ側で重ねた分割片３５Ｂと３６Ｂ、３５Ｄと３６Ｄを巻き込みながら粘着テープ１４を巻き付けている。
【００４１】
前記のように、第１、第２コルゲートチューブ５、６の分岐位置側にスリットを設けて４つの分割片を形成することにより、十字分岐部における幹線および支線の電線群を第１、第２コルゲートチューブ５、６で確実に保護することができる。
【００４２】
図９および図１０に第３実施形態を示す。
第３実施形態は、図１０に示すように、ワイヤハーネス１の幹線２の分岐位置Ｐから３本の支線４０、４１、４２を分岐させたＹ字部分の保護構造であり、３本の支線の内の１本の支線４０を分岐位置Ｐで一方側の幹線２Ａと区別する他方側の幹線と見なしている。  一方側の幹線２Ａに外装する長尺で大径の第１コルゲートチューブ５０と、前記他方側の幹線と見なす支線４０に外装する短尺で小径の第２コルゲートチューブ５１を用いている。
【００４３】
前記第１、第２コルゲートチューブ５０、５１は全長のスリット４を備えたスリット付きコルゲートチューブであり、第１コルゲートチューブ５０には、一端から追加の２本のスリット５５、５６を所定寸法Ｌで形成し、３つの分割片５７、５８、５９を設けている。
第２コルゲートチューブ５１にも、一端から追加の２本のスリット６０、６１を所定寸法Ｌで形成し、３つの分割片６２、６３、６４を設けている。なお、第２コルゲートチューブ５１は短尺であるため、軸線方向全長のスリットを設けていないスリットなしコルゲートチューブとし、３本のスリットを設けてもよい。
【００４４】
前記第１コルゲートチューブ５０は大きなサイズであるため、分割片５７〜５９は第２コルゲートチューブ５１の分割片６２〜６４よりも周方向の幅が大きい。
よって、第２コルゲートチューブ５１の分割片６３、６４で支線４１、４２を覆う幅が小さい場合でも、第１コルゲートチューブ５０の分割片５８、５９で支線４１、４２を覆う幅が大きいため、支線４１、４２の全周を分割片６３と５８、６４と５９で囲むことができ、この状態で粘着テープを巻き付けて固着している。分割片６２と５７とは重ね合わせて支線４０と共に粘着テープを巻き付けて固着している。
【００４５】
前記のように、ワイヤハーネスのＴ字分岐、十字分岐、Ｙ字分岐のいずれの場合でも分岐位置を挟む幹線にそれぞれ外装する第１、第２コルゲートチューブの分岐位置側にスリットを設けて分割片を形成し、該分割片を支線に添わせて屈折することで、分岐部を別部材を用いることなく外装保護できる。
【００４６】
なお、本発明は前記実施形態に限定されず、例えば、分岐位置Ｐを挟む両側の幹線の外径が略同径であれば、これら両側の幹線に外装する第１、第２コルゲートチューブは同径のコルゲートチューブとしている。
また、第１、第２コルゲートチューブとして全長に設けるスリットが無い「スリット無しコルゲートチューブ」を用いる場合には、分岐位置から寸法Ｌで切り込んで設けるスリットの数は、Ｔ字分岐では２本、Ｙ字分岐では３本、十字分岐では４本となる。
【符号の説明】
【００４７】
１  ワイヤハーネス
２（２Ａ、２Ｂ）  幹線
３  支線
４  全長のスリット
５  第１コルゲートチューブ
６  第２コルゲートチューブ
８、１０  追加のスリット
９Ａ、９Ｂ、１１Ａ、１１Ｂ  分割片
１４  粘着テープ
Ｐ  分岐位置
Ｌ  追加のスリットの長さ
【図１】
2013255312.tif 000003
【図２】
2013255312.tif 000004
【図３】
2013255312.tif 000005
【図４】
2013255312.tif 000006
【図５】
2013255312.tif 000007
【図６】
2013255312.tif 000008
【図７】
2013255312.tif 000009
【図８】
2013255312.tif 000010
【図９】
2013255312.tif 000011
【図１０】
2013255312.tif 000012
【図１１】
2013255312.tif 000013
【図１２】
2013255312.tif 000014